(57)【要約】      （修正有）【課題】油圧装置にねじ込まれた接続プラグの緩み確実に阻止する着脱容易で、安価な緩止め金具を提供する。【解決手段】高，低圧用の一対の油圧ホースを油圧機にそれぞれ接続するために油圧機に相互間隔を置いてそれぞれねじ込み固定される一対の接続プラグの断面六角形状をなすねじ頭部Ｐ１の相互間に緩み止め金具１を装着する。緩み止め金具１には、ねじ頭部Ｐ１の両側部から相互間に介入し、両ねじ頭部Ｐ１を挟んで互いに固定ねじ４で一体に締め付け固定される対向一対の結合片２，３を備える。結合片２，３の両端部には、ねじ頭部Ｐ１の相互対向部に合致する形状の内側側面を有し、協働してねじ頭部Ｐ１を受け入れることによりねじ頭部Ｐ１の回転を阻止する係合凹部２ａ，３ａをそれぞれ具備させる。【選択図】図４
2016169745.tif 000002
【特許請求の範囲】
【請求項１】
高，低圧用の一対の油圧ホースを油圧機に接続するために、油圧機に相互間隔を置いてそれぞれねじ込み固定され、断面多角形状をなすねじ頭部を回転操作することによりそれぞれ締め込まれる接続プラグの緩み止め金具において、
前記ねじ頭部の両側部から相互間に介入し、両ねじ頭部を挟んで固定ねじで互いに挿通され一体に締め付け固定される対向一対の結合片を具備し、
これらの結合片の両端部には、前記ねじ頭部の相互対向部に合致する形状の内側側面を有し、協働して前記ねじ頭部を受け入れることによりねじ頭部に回転不能に係合する係合凹部をそれぞれ備えることを特徴とする油圧ホース用接続プラグの緩み止め金具。
【発明の詳細な説明】
【技術分野】
【０００１】
本発明は、油圧ホースを油圧装置等に接続固定するために油圧装置本体にねじ込まれ固定される接続プラグの緩みを防止する金具に関するものである。
【背景技術】
【０００２】
例えば、送変電設備おいて電線を引き留めあるいは接続するために、電線にスリーブを圧縮接続する際に使用する油圧圧縮機は、油圧ホースを圧縮機本体に接続して油圧により動作させている。圧縮機本体と油圧ホースの接続は、圧縮機本体が鋼材の場合には、接続プラグのねじ部に鋼製の管用テーパねじを適用してねじ込み固定している。圧縮機本体がチタン合金の場合には、管用テーパねじを強く締付けて加圧作業を行うと、圧縮機本体に割れが発生することがあるので、接続プラグのねじ部にメートルねじを適用してねじ込み固定している。
従来、圧縮機本体に対する接続プラグのゆるみを防止するため、管用テーパねじやメートルねじにネジロックを塗布したり、ノルトロックワッシャを介在させて、ゆるみ防止を図っている。
また、油圧装置等にねじ込みにより継手を接続固定する配管継手部における緩み防止構造がある（特許文献１）。この緩み防止構造は、ほぼ平行な２本の継手の締め付け部をそれぞれ正六角形状の外形とし、この対向する締め付け部の外側に、角に係合する凹部を有する係止部材をそれぞれ添え、これらの係止部材の外側に継手間で交叉するバンドをたすき掛けにし、バンドを締め付ける。
【先行技術文献】
【特許文献】
【０００３】
【特許文献１】特開平９-５３６２６
【発明の概要】
【発明が解決しようとする課題】
【０００４】
上記従来の緩み止め手段のうち前者にあっては、油圧ホースの取り回しによって接続プラグに大きな回転トルクが働き、接続プラグが緩んでしまうことがある。この他、接続プラグの緩みの原因には、加圧状態の解除による油圧ホースの振動や、チタン合金製の圧縮機本体と鋼材の接続プラグとの異種金属に基づく加圧時の変形量の差異がある。接続プラグが一旦回転してしまうと、増し締めしてもネジロックが機能しないため、抜き出してねじ部を洗浄し、ネジロックを再度塗布してねじ込む煩わしい作業を強いられる。また、接続プラグのシール材の交換などメンテナンス時も同様の作業を要する。接続プラグを大きく緩んだ状態から増し締めすると、シール材が傷付き、油漏れが発生することがある。
後者にあっては、締め付け部に係合する二つの係止部材及びそれらの外周に掛けられるバンドがそれぞれ別体をなすので、分離し易く、管理上，取り扱い上の難があり、さらにバンドが継手の間で交叉する８の字状をなし、バンドの幅を両端側で異なる形状とし、中間部に交叉用の透孔を穿設した上、さらにバンド締め付け手段を固着した構成であるから、形状が複雑で加工が容易でなく製造コストの抑制の支障となるし、バンドに環状の閉塞部分があるので、油圧ホースの接続後に係止部材に掛け回すことができなく作業性が悪い。
そこで本発明は、外力によって接続プラグが油圧装置等から緩むことなく、装着の作業性が良く、また製作容易で安価な緩止め金具を提供することを目的とする。
【課題を解決するための手段】
【０００５】
上記課題を解決するため、本発明は、高，低圧用の一対の油圧ホースを油圧機Ｂに接続するために、断面多角形状をなすねじ頭部Ｐ１を回転操作することにより油圧機Ｂに相互間隔を置いてそれぞれねじ込み固定される接続プラグＰの緩み止め金具１を構成する。ねじ頭部Ｐ１の両側部から相互間に介入し、両ねじ頭部Ｐ１を挟んで互いに挿通される固定ねじ４で一体に締め付け固定される対向一対の結合片２，３を具備させる。これらの結合片２，３の両端部には、ねじ頭部Ｐ１の相互対向部に合致する形状の内側側面を有し、協働してねじ頭部Ｐ１を受け入れることによりねじ頭部Ｐ１に回転不能に係合する係合凹部２ａ，３ａをそれぞれ具備させる。
【発明の効果】
【０００６】
本発明においては、一対の結合片をねじ頭部の両側部から相互間に介入させて固定ねじを締め込み装着するので、油圧ホースの接続後であっても難なく装着できる一方、固定ねじを緩めるだけで取り外すことができるので、極めて容易に着脱できる。二つの接続プラグのねじ頭部を対向一対の結合片で一体に結合すると共に、ねじ頭部の相互対向部に合致する形状の係合凹部にねじ頭部を受け入れるので、ねじ頭部の回転を阻止することができ、油圧機にねじ込まれた両接続プラグが緩みを確実に防止し、油漏れを原因とする動作の不具合を回避することができる。特に、チタン合金製の圧縮機に異種金属の接続プラグを装着する場合の加圧時の変形量の差異に基づく緩みを防止するのに好適である。この結果、接続プラグの緩みに対する対応作業やこれを点検するメンテナンスの煩わしい作業を省くことができる。一対の結合片及び固定ねじのみの単純構成で、一体的に組んでおくことができるので、散逸し難く取り扱いやすく、単純形状のため加工が容易で、安価に提供できる。
【図面の簡単な説明】
【０００７】
【図１】本発明に係る緩み止め金具を装着した油圧圧縮機の正面図である。
【図２】本発明に係る緩み止め金具を装着した接続プラグの拡大図である。
【図３】接続プラグの一部を切り欠いた正面図である。
【図４】図１の緩み止め金具の平面図である。
【図５】図１の緩み止め金具の正面図である。
【図６】図１の緩み止め金具の側面図である。
【図７】図１の緩み止め金具の分解斜視図である。
【発明を実施するための形態】
【０００８】
本発明の実施の一形態を図面を参照して説明する。
図１において、電線と金属製のスリーブとを圧縮接続するための油圧圧縮機において、接続されるべき電線が挿入された圧縮スリーブを圧縮ダイスで圧縮する圧縮ヘッドＢには、油圧駆動する作動油を供給する高，低圧の一対の油圧ホースが結合されるカプラＣが連結される接続プラグＰが間隔を置いて上下並行してそれぞれ一対固定される。これらの接続プラグＰは、図２に示すように、圧縮ヘッドＢの雌ねじ部にねじ込み締め付けることにより固定される。接続プラグＰには、図３に示すように、締め込み操作を行う工具係合用の横断面正六角形状のねじ頭部Ｐ１を有する。
【０００９】
本発明に係る緩み止め金具１は、図２に示すように、接続プラグＰのねじ頭部Ｐ１，Ｐ１間に装着してこれらの緩みを阻止するものである。緩み止め金具１は、図４ないし図７に示すように、対向一対の結合片２，３と、結合片２を貫通し結合片３に螺合する固定ねじ４と、固定ねじ４に差し込まれる割りピン５とを具備する。結合片２，３は矩形鋼材からなり、両端部にねじ頭部Ｐ１の対向側面を受け入れる係合凹部２ａ，３ａを備えている。係合凹部２ａ，３ａの内側側面は、ねじ頭部Ｐ１の相互対向側面に合致する形状をなす。すなわち、圧縮ヘッドＢにねじ込んだねじ頭部Ｐ１の一側面が互いに平行に対向する位置において、係合凹部２ａ，３ａは当該側面の片側角部をそれぞれ受け入れるように横断面く字状をなす。固定ねじ４は、六角レンチを挿入可能な頭部を有し、結合片２，３の中間部に挿通して締め付けてから、先端部に抜け止め用の割りピン５が差し込まれる。
【００１０】
この緩み止め金具１においては、接続プラグＰを圧縮ヘッドＢにねじ込み、ねじ頭部Ｐ１の一側面が対向するように予め位置調整しておき、両ねじ頭部Ｐ１の両側から係合凹部２ａ，３ａがねじ頭部Ｐ１の角部を受け入れるように結合片２，３をねじ頭部Ｐ１に当てがい、固定ねじ４を締め込み、割りピン５を差し込んで、結合片２，３を両ねじ頭部Ｐ１と一体に結合する。この状態でねじ頭部Ｐ１は係合凹部２ａ，３ａの内側面により回転を阻止され、緩むことがない。一方、割りピン５を外して固定ねじ４を緩めて抜き取れば、結合片２，３を分離でき難なく取り外すことができる。不使用時には、結合片２，３に固定ねじ４を挿通させて割りピン５を差しておけば一体に組み込まれ分離しない。結合片２，３は矩形鋼材の両端部に係合凹部２ａ，３ａを、中間に固定ねじ４の挿通孔を形成するのみの単純形状のため、容易に加工できる。
【符号の説明】
【００１１】
１    緩み止め金具
２    結合片
２ａ  係合凹部
３    結合片
３ａ  係合凹部
４    固定ねじ
５    割りピン
Ｂ    圧縮ヘッド
Ｐ    接続プラグ
Ｐ１  ねじ頭部
【図１】
2016169745.tif 000003
【図２】
2016169745.tif 000004
【図３】
2016169745.tif 000005
【図４】
2016169745.tif 000006
【図５】
2016169745.tif 000007
【図６】
2016169745.tif 000008
【図７】
2016169745.tif 000009